(57)【要約】【課題】予め一部接着して折り畳んだ状態の切板で出荷し、簡単に組立てることができ、作業性を大幅に改善したダンボール箱を提供するものである。【解決手段】底面板２の左右両側に、妻面３を形成する妻面外側板３Ａと、妻面内側板３Ｂを罫線４を介して一体に連接し、底面板２の上下両側に、側面５を形成する側面外側板５Ａと側面内側板５Ｂを罫線４を介して一体に連接し、底面板２の各コーナー６に、妻面外側板３Ａの端部と、これに隣接する前記側面外側板５Ａの端部とを一体に連接する接合片８を形成し、この一方の妻面側の分割部分に接着剤塗布面１１を形成した切板１で構成され、前記接合片８の接着剤塗布面１１に接着剤２４を塗布して、底面板２と側面外側板５Ａとの間に形成された罫線４で内側に折り曲げて、接合片８の接着剤塗布面１１と妻面外側板３Ａの端部とを接合したものである。【選択図】  図１
2008285204.tif 000002
【特許請求の範囲】
【請求項１】
ダンボール紙の切板を折り曲げて、妻面と側面を二重に形成して、上面が開口した額縁状のダンボール箱において、底面板の左右両側に、妻面を形成する妻面外側板と、この外側に妻面内側板をそれぞれ罫線を介して一体に連接し、前記底面板の上下両側に、側面を形成する側面外側板と、この外側に側面内側板をそれぞれ罫線を介して一体に連接し、前記底面板の各コーナーに、前記妻面外側板の端部と、これに隣接する前記側面外側板の端部とを一体に連接する接合片を形成し、この接合片をコーナーを通る線で２分割する分割罫線を設け、この一方の妻面側の分割部分を接着剤塗布面とし、また前記側面内側板の両端側に全切と繋ぎ加工により底受板を形成すると共に、この底受板に差し込みロックを突設し、この差し込みロックが嵌合する嵌合溝を前記妻面外側板と妻面内側板との間に形成し、これら構成要素からなる切板の、前記接合片に形成された接着剤塗布面に接着剤を塗布して、底面板と側面外側板との間に形成された罫線で内側に折り曲げて、接合片の接着剤塗布面と妻面外側板の端部とを接着剤で接合した状態に形成したことを特徴とするダンボール箱。
【請求項２】
側面外側板を内側に曲げた時にずれ止め突起が形成されるずれ止め突起形成部が、側面外側板と側面内側板の間に形成されていることを特徴とする請求項１記載のダンボール箱。
【発明の詳細な説明】
【技術分野】
【０００１】
本発明は、きゅうりなどを入れるダンボール箱に関するものである。
【背景技術】
【０００２】
きゅうりなどを入れるダンボール箱は、従来、底面板の左右両側に、妻面を形成する妻面外側板と、この外側に妻面内側板をそれぞれ罫線を介して一体に連接し、底面板の上下両側に、側面を形成する側面外側板とこの外側に側面内側板をそれぞれ罫線を介して一体に連接した切板を、工場でダンボールから切り抜きして平板状の状態で出荷し、農家や集荷場でこれを額縁状に折り曲げて、上面が開口したダンボール箱を組立てていた。
【０００３】
しかしながら、従来の構造では、１枚の切板で構成され、妻面と側面との連結部分は、嵌め込み構造となっているのでダンボール箱の組立てに手間がかかり、箱に作物を詰めて出荷する作業の忙しい時期に組立てるため、組立てが簡単な構造のものが要望されていた。
【発明の開示】
【発明が解決しようとする課題】
【０００４】
本発明は上記問題を改善し、予め一部接着した構造で、折り畳んだ状態の切板で出荷し、農家や集荷場で簡単に組立てることができ、作業性を大幅に改善したダンボール箱を提供するものである。
【課題を解決するための手段】
【０００５】
本発明の請求項１記載のダンボール箱は、ダンボール紙の切板を折り曲げて、妻面と側面を二重に形成して、上面が開口した額縁状のダンボール箱において、底面板の左右両側に、妻面を形成する妻面外側板と、この外側に妻面内側板をそれぞれ罫線を介して一体に連接し、前記底面板の上下両側に、側面を形成する側面外側板と、この外側に側面内側板をそれぞれ罫線を介して一体に連接し、前記底面板の各コーナーに、前記妻面外側板の端部と、これに隣接する前記側面外側板の端部とを一体に連接する接合片を形成し、この接合片をコーナーを通る線で２分割する分割罫線を設け、この一方の妻面側の分割部分を接着剤塗布面とし、また前記側面内側板の両端側に全切と繋ぎ加工により底受板を形成すると共に、この底受板に差し込みロックを突設し、この差し込みロックが嵌合する嵌合溝を前記妻面外側板と妻面内側板との間に形成し、これら構成要素からなる切板の、前記接合片に形成された接着剤塗布面に接着剤を塗布して、底面板と側面外側板との間に形成された罫線で内側に折り曲げて、接合片の接着剤塗布面と妻面外側板の端部とを接着剤で接合した状態に形成したことを特徴とするものである。
【０００６】
本発明の請求項２記載のダンボール箱は、請求項１において、側面外側板を内側に曲げた時にずれ止め突起が形成されるずれ止め突起形成部が、側面外側板と側面内側板の間に形成されていることを特徴とするものである。
【発明の効果】
【０００７】
本発明に係る請求項１記載のダンボール箱によれば、妻面外側板と側面外側板との間を連結する接合片の片側の接着剤塗布面と妻面外側板の端部とが接合されているので、側面外側板と側面内側板を広げて立てると、接合片で連結されている妻面外側板と妻面内側板も立ち上がり、はめ込み構造に比べて組立作業が極めて容易である。また底受板は、側面内側板の両端側に全切加工と繋ぎ加工により連結して一体となっているので、妻面内側板を内側に折り曲げる時の邪魔にならず折り曲げ易い。
【０００８】
また請求項２記載のダンボール箱によれば、複数重ねて保管する場合や運搬する場合には、下段のダンボール箱の妻面と側面の上部と、この交差部分に形成された底受板で、上段のダンボール箱の底面が支持されると共に、下段のダンボール箱のずれ止め突起が上段のダンボール箱の底面に形成された嵌合孔に嵌合して、一体に連結されるので崩れを防止することができる。                        
【発明を実施するための最良の形態】
【０００９】
以下本発明の実施の一形態を図１ないし図５を参照して詳細に説明する。図１において１はダンボール紙を切抜した切板で、四角形状をなす底面板２の左右両側に、妻面を形成する妻面外側板３Ａと、この外側に妻面内側板３Ｂをそれぞれ罫線４、４を介して一体に連接され、更に前記底面板２の上下両側に、側面を形成する側面外側板５Ａと、この外側に側面内側板５Ｂをそれぞれ罫線４、４を介して一体に連接されている。
【００１０】
また前記底面板２の各コーナー６に、前記妻面外側板３Ａの端部と、これに隣接する前記側面外側板５Ａの端部とを一体に連接する接合片８を形成し、この接合片８をコーナー６を通る線で２分割する分割罫線１０を設け、この一方の妻面側の分割部分を接着剤塗布面１１としている。
【００１１】
また前記側面内側板５Ｂの両端側に、図２に示すように全切加工１２と繋ぎ加工１３により扇形の底受板１５が形成され、この底受板１５に差し込みロック１６が突設されている。この差し込みロック１６が嵌合する嵌合溝１７を図１に示すように前記妻面外側板３Ａと妻面内側板３Ｂとの間に凸形に切り抜いて形成されている。また両側の妻面内側板３Ｂと側面内側板５Ｂの外側縁部には、間隔を置いて２個の嵌合突起部１９がそれぞれ形成され、これら嵌合突起部１９が嵌合する四角形状の嵌合孔２０が、底面板２の各辺にそれぞれ形成されている。
【００１２】
なお図において、２１は側面外側板５Ａと側面内側板５Ｂの間に形成されたずれ止め突起形成部で、３本の横方向の罫線４とその左右両側の全切加工１２とで形成されている。また２２は妻面外側板３Ａと妻面内側板３Ｂとの間に形成された四角形状の手差し込み溝形成孔である。
【００１３】
上記構成のダンボール箱は、接合片８の分割罫線１０で分割された接着剤塗布面１１に接着剤２４を塗布してから、底面板２と側面外側板５Ａとの間に形成された罫線４で内側に折り曲げると、接合片８の接着剤塗布面１１と妻面外側板３Ａの両端部とが接合されて図３に示すように折り畳んだ状態になる。この状態で農家や集荷場に出荷する。
【００１４】
農家や集荷場でダンボール箱を組み立てる場合、折り畳んだ切板１の側面外側板５Ａと側面内側板５Ｂを立てて広げる。この時、図４に示すように、接合片８の接着剤塗布面１１と妻面外側板３Ａの端部とが接合されているので、側面外側板５Ａと側面内側板５Ｂを広げて立てると、接合片８で連結されている妻面外側板３Ａと妻面内側板３Ｂも立ち上がってくる。
【００１５】
次に、右の妻面内側板３Ｂを罫線４を介してコ字形に折り曲げて、凸型の嵌合突起部１９を底面板２の嵌合孔２０に差し込むと、妻面外側板３Ａと妻面内側板３Ｂとで空胴部が形成された二重の妻面３が組み立てられる。次に左の妻面内側板３Ｂを罫線４を介してコ字形に折り曲げて、凸型の嵌合突起部１９を底面板２の嵌合孔２０に差し込むと、妻面外側板３Ａと妻面内側板３Ｂとで空胴部が形成された二重の妻面３が組み立てられる。
【００１６】
この時、扇形の底受板１５は図４に示すように、側面内側板５Ｂの両端側に全切加工１２と繋ぎ加工１３により連結して形成されているので、妻面内側板３Ｂを折り曲げる時に邪魔にならず折り曲げ易い。この場合、妻面外側板３Ａと妻面内側板３Ｂとの間に形成された手差し込み溝形成孔２２も折り曲げられて、図５に示すように凹形の手差し込み溝２５が同時に形成される。
【００１７】
次に、上部の側面内側板５Ｂの左右に全切加工１２と繋ぎ加工１３を介して形成した扇形の底受板１５を切り取ってから、側面内側板５Ｂを罫線４を介してコ字形に折り曲げて、凸型の嵌合突起部１９を底面板２の嵌合孔２０に差し込むと、図５に示すように側面外側板５Ａと側面内側板５Ｂとで空胴部が形成された二重の側面５が組み立てられる。
【００１８】
次に下部の側面内側板５Ｂの左右に全切加工１２と繋ぎ加工１３を介して形成した扇形の底受板１５を切り取ってから、側面内側板５Ｂを罫線４を介してコ字形に折り曲げて、凸型の嵌合突起部１９を底面板２の嵌合孔２０に差し込むと、図５に示すように側面外側板５Ａと側面内側板５Ｂとで空胴部が形成された二重の側面５が組み立てられる。この結果、側面外側板５Ａと、側面内側板５Ｂとの間のずれ止め突起形成部２１も折り曲げられて、三角形状のずれ止め突起２６が同時に形成される。
【００１９】
この後、下部の側面内側板５Ｂの左右に形成した扇形の底受板１５を、罫線４を介して内側に折り曲げてから、先端の差し込みロック１６を更に折り曲げて、嵌合溝１７に差し込んでロックすると図５に示すようなダンボール箱が完成する。
【００２０】
従って本発明のダンボール箱は、予め接合片８の接着剤塗布面１１と妻面外側板３Ａの端部とが接合されているので、側面外側板５Ａと側面内側板５Ｂを広げて立てると、接合片８で連結されている妻面外側板３Ａと妻面内側板３Ｂも立ち上がって、従来のはめ込み構造に比べて組立作業が極めて容易である。また扇形の底受板１５は、側面内側板５Ｂの両端側に全切加工１２と繋ぎ加工１３により連結して一体となっているので、妻面内側板３Ｂを折り曲げる時に邪魔にならず折り曲げ易い。
【００２１】
また複数のダンボール箱を重ねて、保管や運搬する場合には、下段のダンボール箱の妻面３と側面５の上部と、この交差部分に形成された扇形の底受板１５とで、上段のダンボール箱の底面が支持されると共に、下段のダンボール箱のずれ止め突起２６が上段のダンボール箱の底面に形成された嵌合孔２０に嵌合して、一体に連結されるので崩れを防止することができる。
【産業上の利用可能性】
【００２２】
なお本発明のダンボール箱はきゅうりなどの野菜や、いちごなどの果実の箱詰めに広く適用することができる。
【図面の簡単な説明】
【００２３】
【図１】本発明の実施の一形態によるダンボール箱を展開した切板を示す平面図である。
【図２】図１の扇形の底受板を拡大して示す平面図である。
【図３】図１の切板の側面内側板と側面外側板を折り曲げて重ねた状態を示す平面図である。
【図４】妻面内側板と側面内側板とを接合片で接合した部分を示す斜視図である。
【図５】ダンボール箱の斜視図である。
【符号の説明】
【００２４】
１    切板                                                  
２    底面板                                                
３    妻面                                                  
３Ａ  妻面外側板    
３Ｂ  妻面内側板      
４    罫線                                                  
５    側面                                                  
５Ａ  側面外側板    
５Ｂ  側面内側板    
６    コーナー                                              
８    接合片                                                
１０  分割罫線                                              
１１  接着剤塗布面                                          
１２  全切加工                                              
１３  繋ぎ加工                                              
１５  扇形の底受板                                          
１６  差し込みロック                                        
１７  嵌合溝                                                
１９  嵌合突起部                                            
２０  嵌合孔                                                
２１  ずれ止め突起形成部                                    
２２  手差し込み溝形成孔                                    
２４  接着剤                                                
２５  手差し込み溝                                          
２６  ずれ止め突起                                          
【図１】
2008285204.tif 000003
【図２】
2008285204.tif 000004
【図３】
2008285204.tif 000005
【図４】
2008285204.tif 000006
【図５】
2008285204.tif 000007